(57)【要約】【課題】機能分離型の構成において、現像剤の圧縮による劣化を抑制可能な現像装置を提供する。【解決手段】現像装置１の現像容器２には、隔壁部１５によって隔てられる供給室１１と回収室１２とが形成される。隔壁部１５には、回収室１２における現像剤の搬送方向において下流側に、回収室１２に収容された現像剤が供給室１１に受け渡される受渡し部（１７）が形成される。回収室１２に配置される第２スクリュ１４は、現像剤を受渡し部へ向かって搬送する搬送部１４Ａと、搬送部１４Ａの下流側かつ受渡し部の上流側の端部（１７ａ）と重なる位置に配置される緩和部１４Ｂとを備える。緩和部１４Ｂは、搬送部１４Ａよりも現像剤の搬送能力を低く抑えられ、受渡し部の付近の現像剤にかかる圧力を緩和する。【選択図】図３
2017097082.tif 000002
【特許請求の範囲】
【請求項１】
現像剤を担持して回転する現像剤担持体と、
前記現像剤担持体に現像剤を供給する第１室と、前記現像剤担持体に担持された現像剤が回収され、現像剤が循環搬送される循環経路を前記第１室と共に構成する第２室とが形成され、前記第１室と前記第２室とを隔てる隔壁部を有する現像容器と、
前記第１室に配置され、現像剤を撹拌しながら搬送する第１搬送部材と、
前記第２室に、水平方向から視て前記第１搬送部材と少なくとも一部が重なるように配置され、現像剤を撹拌しながら搬送する第２搬送部材と、を備え、
前記隔壁部には、前記第２室に収容された現像剤が前記第１室に受け渡される受渡し部が形成され、
前記第２搬送部材は、現像剤を前記受渡し部へ向けて搬送する搬送部と、前記搬送部の搬送方向において前記搬送部の下流かつ前記受渡し部の上流側の端部と重なる位置に配置され、前記搬送部に比して前記搬送方向への現像剤の搬送能力が低い緩和部と、を有する、
ことを特徴とする現像装置。
【請求項２】
前記搬送部は、回転可能な軸部の外周に螺旋状に形成された搬送フィンを有する、
請求項１に記載の現像装置。
【請求項３】
前記緩和部は、前記軸部から径方向外側へ向けて突設され、前記搬送部とは非連続的に形成された凸部を有する、
請求項２に記載の現像装置。
【請求項４】
前記緩和部は、前記軸部の外周に螺旋状に形成され、前記搬送フィンに比して小さな外径に設定された小径フィンを有する、
請求項２又は３に記載の現像装置。
【請求項５】
前記小径フィンは、前記搬送部と同じ巻き方向に形成される、
請求項４に記載の現像装置。
【請求項６】
前記小径フィンは、前記搬送部とは逆の巻き方向に形成される、
請求項４に記載の現像装置。
【請求項７】
前記緩和部は、前記軸部のみによって構成される、
請求項２に記載の現像装置。
【請求項８】
前記緩和部は、前記搬送部の搬送方向において前記受渡し部の上流側へ延設され、
前記第２搬送部材が１回転する場合に前記搬送フィンのうち前記搬送部の搬送方向における下流側の表面から引いた法線が描く軌跡は、前記受渡し部よりも上流位置を通過する、
請求項２乃至７のいずれか１項に記載の現像装置。
【請求項９】
前記第２搬送部材は、前記搬送部の搬送方向において前記緩和部の下流に配置され、前記軸部の外周に前記搬送部とは逆の巻き方向で螺旋状に形成された返しフィンを有する、
請求項２乃至８のいずれか１項に記載の現像装置。
【請求項１０】
前記隔壁部には、前記搬送部の搬送方向における上流側に、前記第１室に収容された現像剤が前記第２室に受け渡される第１開口部が形成され、前記搬送部の搬送方向における下流側に、前記受渡し部である第２開口部が形成され、
前記第２室の底部は、前記搬送部の搬送方向における前記第１開口部の位置と前記第２開口部の位置とに亘って、前記第１室の底部よりも上方に配置される、
請求項１乃至９のいずれか１項に記載の現像装置。
【請求項１１】
前記隔壁部には、前記搬送部の搬送方向における上流側に、前記第１室に収容された現像剤が前記第２室に受け渡される第１開口部が形成され、前記搬送部の搬送方向における下流側に、前記受渡し部である第２開口部が形成され、
前記第２室は、前記搬送部の搬送方向において前記第１開口部の側から前記第２開口部の側へ向かって重力方向へと傾斜して形成されている、
請求項１乃至９のいずれか１項に記載の現像装置。
【請求項１２】
現像剤を担持して回転する現像剤担持体と、
前記現像剤担持体に現像剤を供給する第１室と、前記現像剤担持体に担持された現像剤が回収され、現像剤が循環搬送される循環経路を前記第１室と共に構成する第２室とが形成され、前記第１室と前記第２室とを隔てる隔壁部を有する現像容器と、
前記第１室に配置され、現像剤を撹拌しながら搬送する搬送部材と、
前記第２室に、水平方向から視て前記搬送部材と少なくとも一部が重なるように配置され、現像剤を撹拌する撹拌部材と、を備え、
前記隔壁部には、前記現像剤担持体の軸方向における一方側に、前記第１室に収容された現像剤が前記第２室に受け渡される第１開口部が形成され、前記軸方向における他方側に、前記第２室に収容された現像剤が前記第１室に受け渡される第２開口部が形成され、
前記第２室の底部は、前記軸方向において前記第１開口部から前記第２開口部へ向かって重力方向へと傾斜して形成され、
前記撹拌部材は、前記軸方向において前記第２開口部のうち前記第１開口部に近い側の端部と重なる範囲で、回転可能な軸部から径方向外側へ向けて突出する複数の凸部が形成された撹拌部を有する、
ことを特徴とする現像装置。
【請求項１３】
前記撹拌部は、前記軸方向において前記第１開口部の位置から前記第２開口部の位置に亘って設けられる、
請求項１２に記載の現像装置。
【発明の詳細な説明】
【技術分野】
【０００１】
本発明は、電子写真方式又は静電記録方式等の画像形成装置に用いられる現像装置に関する。
【背景技術】
【０００２】
電子写真方式の画像形成装置に用いられる現像装置は、キャリア及びトナーを含む二成分現像剤を収容した現像容器と、現像剤を担持して回転する現像スリーブ（現像剤担持体）とを備えたものが広く普及している。現像スリーブは、感光ドラム等の像担持体にトナーを供給することで、像担持体上の静電潜像をトナー像として現像する。そして、従来、現像容器の内部が隔壁によって２室に区画され、現像剤担持体に現像剤を供給する現像室（第１室）と、現像スリーブから現像剤が回収される撹拌室（第２室）とが設けられる、所謂機能分離型の現像装置が知られている（特許文献１参照）。この現像装置において、現像室及び撹拌室には現像剤を撹拌しながら搬送するスクリュがそれぞれ配置され、隔壁に設けられた開口を介して現像室と撹拌室との間で現像剤が循環搬送される。
【先行技術文献】
【特許文献】
【０００３】
【特許文献１】特開平１１−７１８９号公報
【発明の概要】
【発明が解決しようとする課題】
【０００４】
ところで、特許文献１に記載のような機能分離型の構成では、現像室を搬送される現像剤が現像スリーブに吸着されるため、現像室においては下流へ向かうほど現像剤面が低くなる傾向がある。従って、現像室の下流部において現像スリーブに安定して現像剤を供給するためには、現像室の上流部に十分な量の現像剤が供給されることが好ましい。また、撹拌室を搬送される現像剤に現像スリーブから回収された現像剤が順次加わるため、撹拌室においては下流へ向かうほど現像剤面が高くなる傾向がある。このような事情により、機能分離型の構成では、撹拌室から現像室への現像剤の受け渡しが行われる受渡し部（隔壁の開口）の付近で現像剤面が高くなる傾向があった。
【０００５】
しかしながら、このような構成では、撹拌室から現像室への受渡し部の付近において現像剤に過剰な圧力がかかる場合があった。即ち、受渡し部の付近では、撹拌室の搬送部材（スクリュ）が現像剤を現像室の側へ押し込む力と、現像室の上流部に堆積した現像剤が受渡し部の現像剤を撹拌室の側へ押し戻す力とが作用していた。このように互いに向い合う方向の力が作用することで、受渡し部の付近で現像剤が圧縮されていた。そして、現像剤に過剰な圧力がかかった場合、例えば現像剤に添加された微粉末がトナー粒子等の表面から剥落して流動性が低下したり、キャリアの表面が磨耗したりして、現像剤の劣化が早まる虞がある。
【０００６】
そこで、本発明は、機能分離型の構成において、現像剤の圧縮による劣化を抑制可能な現像装置を提供することを目的とする。
【課題を解決するための手段】
【０００７】
本発明に係る現像装置は、現像剤を担持して回転する現像剤担持体と、前記現像剤担持体に現像剤を供給する第１室と、前記現像剤担持体に担持された現像剤が回収され、現像剤が循環搬送される循環経路を前記第１室と共に構成する第２室とが形成され、前記第１室と前記第２室とを隔てる隔壁部を有する現像容器と、前記第１室に配置され、現像剤を撹拌しながら搬送する第１搬送部材と、前記第２室に、水平方向から視て前記第１搬送部材と少なくとも一部が重なるように配置され、現像剤を撹拌しながら搬送する第２搬送部材と、を備え、前記隔壁部には、前記第２室に収容された現像剤が前記第１室に受け渡される受渡し部が形成され、前記第２搬送部材は、現像剤を前記受渡し部へ向けて搬送する搬送部と、前記搬送部の搬送方向において前記搬送部の下流かつ前記受渡し部の上流側の端部と重なる位置に配置され、前記搬送部に比して前記搬送方向への現像剤の搬送能力が低い緩和部と、を有する、ことを特徴とする。
【０００８】
また、本発明に係る現像装置は、現像剤を担持して回転する現像剤担持体と、前記現像剤担持体に現像剤を供給する第１室と、前記現像剤担持体に担持された現像剤が回収され、現像剤が循環搬送される循環経路を前記第１室と共に構成する第２室とが形成され、前記第１室と前記第２室とを隔てる隔壁部を有する現像容器と、前記第１室に配置され、現像剤を撹拌しながら搬送する搬送部材と、前記第２室に、水平方向から視て前記搬送部材と少なくとも一部が重なるように配置され、現像剤を撹拌する撹拌部材と、を備え、前記隔壁部には、前記現像剤担持体の軸方向における一方側に、前記第１室に収容された現像剤が前記第２室に受け渡される第１開口部が形成され、前記軸方向における他方側に、前記第２室に収容された現像剤が前記第１室に受け渡される第２開口部が形成され、前記第２室の底部は、前記軸方向において前記第１開口部から前記第２開口部へ向かって重力方向へと傾斜して形成され、前記撹拌部材は、前記軸方向において前記第２開口部のうち前記第１開口部に近い側の端部と重なる範囲で、回転可能な軸部から径方向外側へ向けて突出する複数の凸部が形成された撹拌部を有する、ことを特徴とする。
【発明の効果】
【０００９】
本発明によれば、現像剤の圧縮による劣化を抑制することができる。
【図面の簡単な説明】
【００１０】
【図１】第１の実施形態に係る画像形成装置を示す概略構成図。
【図２】第１の実施形態に係る現像装置を示す断面図。
【図３】第１の実施形態に係る現像装置を示す上面図。
【図４】第１の実施形態の変形例を示す模式図であり、（ａ）〜（ｄ）はそれぞれ異なる変形例を示す。
【図５】第２の実施形態に係る現像装置を示す断面図。
【図６】第３の実施形態に係る現像装置を示す側面図。
【発明を実施するための形態】
【００１１】
＜第１の実施形態＞
以下、図面に沿って第１の実施形態に係る画像形成装置１００について説明する。図１に概略構成を示す画像形成装置１００は、イエロー（Ｙ）、マゼンタ（Ｍ）、シアン（Ｃ）、ブラック（Ｋ）の各色のトナー像を形成するステーションＰＹ，ＰＭ，ＰＣ，ＰＫ（画像形成部）を有する電子写真方式の画像形成装置である。画像形成装置１００は、不図示の駆動手段により矢印Ｒ１の方向へ回転駆動される中間転写ベルト３１（中間転写体）を備えた転写装置３０を有している。画像形成装置１００は、中間転写ベルト３１の回転方向に沿って４つのステーションＰＹ〜ＰＫが並べて配置された、所謂タンデム式の画像形成装置である。各ステーションＰＹ，ＰＭ，ＰＣ，ＰＫの構成は、現像に用いられるトナー色が異なる以外は実質的に同一である。以下、イエローのステーションＰＹを例に画像形成部の構成を説明し、他のステーションＰＭ，ＰＣ，ＰＫの対応する部材の符号末尾にはＭ，Ｃ，Ｋのいずれかを付して説明を省略する。
【００１２】
ステーションＰＹは、感光ドラム２８Ｙと、一次帯電器２１Ｙと、現像装置１Ｙ（現像器）と、クリーニング装置２６Ｙとを有している。また、ステーションＰＹ〜ＰＫの上方に配置されたレーザ露光光学系は、感光ドラム２８Ｙにレーザ光を照射可能な露光装置２２Ｙを有している。静電潜像及びトナー像を担持する像担持体としての感光ドラム２８Ｙは、不図示の駆動装置によって中間転写ベルト３１の回転方向に沿った方向に回転駆動される。一次帯電器２１Ｙと、露光装置２２Ｙによる露光領域と、現像装置１Ｙと、クリーニング装置２６Ｙとは、感光ドラム２８Ｙの外周側に回転方向に沿って順に配置されている。
【００１３】
一次帯電器２１Ｙは、装置本体の高圧電源から帯電バイアス電圧を印加されることで感光ドラム２８Ｙの表面を一様に帯電させる。露光装置２２Ｙは、画像情報に基づいて調光されたレーザ光を用いて感光ドラム２８Ｙの表面に走査する。これにより、ドラム状の感光体である感光ドラム２８Ｙが露光されて、感光ドラム２８Ｙの表面に静電潜像が形成される。現像装置１Ｙは、感光ドラム２８Ｙにトナーを供給して静電潜像をトナー像として顕像化（現像）する現像工程を実行する。
【００１４】
転写装置３０は、中間転写ベルト３１を間に挟んで感光ドラム２８Ｙに圧接された一次転写ローラ２３Ｙを有している。一次転写ローラ２３Ｙは、装置本体の高圧電源から一次転写バイアス電圧を印加されることで、感光ドラム２８Ｙと中間転写ベルト３１との間に形成されたニップ部である一次転写部Ｔ１Ｙに電位勾配を形成している。感光ドラム２８Ｙに担持されたトナー像は、一次転写バイアス電圧の作用によって、中間転写ベルト３１に一次転写される。
【００１５】
クリーニング装置２６Ｙは、一次転写部Ｔ１Ｙの下流側で感光ドラム２８Ｙに当接するクリーニングブレードを有し、一次転写部Ｔ１Ｙを通過して感光ドラム２８Ｙの表面に残留したトナー等の付着物を掻き取る。クリーニングブレードによって掻き取られた付着物は、不図示の搬送部材に搬送されて、装置本体に設けられた回収容器へと回収される。
【００１６】
各ステーションＰＹ〜ＰＫにおいて作成されたトナー像は、一次転写部Ｔ１Ｙ，Ｔ１Ｍ，Ｔ１Ｃ，Ｔ１Ｋにおいて、中間転写ベルト３１の表面に順次重ね合わせるように多重転写されてフルカラーのトナー像となる。このフルカラーのトナー像は、中間転写ベルト３１と二次転写ローラ３６との間のニップ部として形成された二次転写部Ｔ２において記録材Ｐに二次転写される。トナー像を転写された記録材Ｐは、定着前搬送ユニット３９によって定着器４０へと搬送される。定着器４０は、記録材Ｐを挟持して搬送する１対のローラ部材４１，４２を有し、トナー像を転写された記録材Ｐに圧力と熱とを付与することで、トナーを溶融させて画像を記録材Ｐに定着させる。画像が定着した記録材Ｐは、画像形成装置の筐体外部へと排出される。なお、二次転写部Ｔ２を通過して中間転写ベルト３１に残留したトナー等の付着物は、中間転写体クリーナ２６ｚによって除去され、回収容器へと回収される。
【００１７】
この他、画像形成装置１００は、給送装置、レジストローラ対、及びトナーボトル２４Ｙ，２４Ｍ，２４Ｃ，２４Ｋ等を備えている。給送装置は、装置本体に対して着脱自在の給送カセットに積載された記録材Ｐを１枚ずつ分離して給送する。ただし、記録材Ｐ（記録媒体）としては、コピー紙等の用紙やＯＨＰフィルム等のプラスチックシート、及び布等が用いられる。レジストローラ対は、給送装置から受取った記録材Ｐの前端部に当接して斜行を補正し、二次転写部Ｔ２におけるトナー像の転写タイミングに合わせて記録材Ｐを二次転写部Ｔ２へ搬送する。装置本体に対して着脱自在のトナーボトル２４Ｙ〜２４Ｋは、各ステーションＰＹ〜ＰＫに対応する色のトナー（補給用現像剤）を収容し、現像装置１Ｙ〜１Ｋにトナーを補給可能に設けられている。
【００１８】
また、画像形成装置１００には、パッチ濃度センサ２９及び搬送センサ５１等が設けられている。パッチ濃度センサ２９は、中間転写ベルト３１の搬送方向においてステーションＰＹ〜ＰＫの下流かつ二次転写部Ｔ２の上流に配置され、ステーションＰＹ〜ＰＫによって形成されたパッチ画像の濃度を検出可能なセンサ（例えば光学式センサ）である。また、搬送センサ５１は、記録材Ｐの搬送方向において二次転写部Ｔ２の上流に配置され、画像形成装置１００の内部における記録材Ｐの搬送状態を監視する。
【００１９】
なお、以上の説明において、画像形成装置１００がフルカラー画像を形成する場合を例示したが、４つのステーションＰＹ〜ＰＫを任意の組合せで動作させて単色あるいはマルチカラーの画像を形成することも可能である。例えば、画像形成装置１００は、ブラックのステーションＰＫのみを動作させて、記録材Ｐにモノクロ画像を形成することができる。
【００２０】
［現像装置］
次に、本実施形態に係る現像装置１について説明する。ただし、現像装置１は、内部に収容するトナーを変更することで、上述した各現像装置１Ｙ〜１Ｋとして使用可能な装置とする。図２に示すように、現像装置１は、現像容器２と、現像スリーブ３と、マグネットロール４と、第１スクリュ１３と、第２スクリュ１４と、現像ブレード５等を備えている。現像剤を収容する現像容器２の内部は、底部から立上る隔壁部１５によって、供給室１１と回収室１２とに隔てられている。現像装置１は、第１室である供給室１１（現像室）において現像スリーブ３に現像剤を供給し、現像スリーブ３に担持された現像剤を第２室である回収室１２（撹拌室）に回収する、機能分離方式の現像装置である。
【００２１】
なお、現像容器２に収容される現像剤は、マイナスの帯電極性を有する非磁性トナー粒子（以下、トナーとする）と、磁性キャリア粒子（以下、キャリアとする）とを含む、所謂二成分現像剤である。トナーは、例えばポリエステル、スチレンアクリル等の樹脂に着色料、ワックス成分などを内包し、粉砕あるいは重合によって粉体としたものに、酸化チタン、シリカ等の微粉末を表面に添加したものである。キャリアは、フェライト粒子や磁性粉を混錬した樹脂粒子等からなるコアの表層に樹脂コートを施したものである。初期状態（出荷時）における現像剤中のトナー濃度（現像剤全体に対するトナーの重量比［Ｔ／Ｄ比］）は、例えば８％に設定される。
【００２２】
現像容器２には、感光ドラムに対向して開口し、マグネットロール４及び現像スリーブ３が配置される開口部２ａが形成されている。磁界発生手段としてのマグネットロール４は、周方向の所定位置に配置された複数の磁極を有し、現像容器２に対して固定されている。現像剤を担持する現像剤担持体としての現像スリーブ３は、マグネットロール４に外嵌した円筒状の部材である。現像スリーブ３は、感光ドラムの回転に沿って矢印Ｒ２の方向へ回転可能に設けられ、感光ドラムとの間の間隙として現像領域を形成している。また、現像スリーブ３は、装置本体の高圧電源に接続されて、トナーの帯電極性と同極性の直流電圧に交流電圧を重畳した現像バイアス電圧を印加されている。また、開口部２ａには、現像スリーブ３の外周面に近接配置された規制部材である現像ブレード５が設けられている。
【００２３】
図３に示すように、現像装置１は、現像スリーブ３の軸方向（図中上下方向）に長く延びた形状を有している。ただし、図３は現像容器２の天板部及び現像スリーブ３等を取外した状態の現像装置１を上方から視た図である。以下、現像スリーブ３の軸方向を指して現像装置１の「長手方向」とする。供給室１１及び回収室１２は、それぞれ長手方向に延びて形成され、上方から視て互いに平行に配置されている。
【００２４】
供給室１１及び回収室１２には、現像剤を撹拌しながら搬送する搬送部材（循環部材）として、軸中心を長手方向に向けたスクリュである第１スクリュ１３及び第２スクリュ１４がそれぞれ配置されている。第１搬送部材としての第１スクリュ１３は、円柱状の軸部１３１と、軸部１３１の外周に螺旋状に設けられた搬送フィン１３２（羽根部）とを有する。第２搬送部材としての第２スクリュ１４は、円柱状の軸部１４１と、軸部１４１の外周に螺旋状に設けられた搬送フィン１４２（羽根部）と、軸方向に所定の幅を有して軸部１４１から径方向外側に突出する撹拌リブ１４３とを有する。
【００２５】
第１スクリュ１３及び第２スクリュ１４は、現像スリーブ３を駆動する駆動手段としての現像モータＭ３に不図示のギヤ列を介して連結されている（図２参照）。従って、現像スリーブ３、第１スクリュ１３及び第２スクリュ１４は、現像モータＭ３によって同期して回転駆動される。現像モータＭ３によって回転駆動された第１スクリュ１３は、供給室１１の現像剤を長手方向の一方（図３の上方）へと搬送する。これに並行して、現像モータＭ３によって回転駆動された第２スクリュ１４は、回収室１２の現像剤を長手方向の他方（図３の下方）へと搬送する。
【００２６】
図３に示すように、隔壁部１５の長手方向両端部には、供給室１１と回収室１２とを連通する第１開口部１６及び第２開口部１７が形成されている。第１開口部１６は、第１スクリュ１３の搬送方向において供給室１１の下流位置に形成され、現像スリーブ３に担持されずに供給室１１の下流部に到達した現像剤が回収室１２の上流部へと受け渡される経路となっている。第２開口部１７は、第２スクリュ１４の搬送方向において回収室１２の下流位置に形成され、回収室１２に収容された現像剤が供給室１１の上流部へと受け渡される経路（受渡し部）となっている。従って、第１開口部１６及び第２開口部１７によって互いに連通された供給室１１と回収室１２とで、現像剤を現像容器２の内部で循環搬送する循環経路が形成されている。
【００２７】
ここで、供給室１１及び回収室１２の配置と、現像剤の回収構成について説明する。図２に示すように、第１スクリュ１３及び第２スクリュ１４は、水平方向（図中左右方向）から視て少なくとも一部が重なるように配置され、好ましくは略水平方向に並んで配置される。そして、供給室１１及び回収室１２は、それぞれの底部が略水平に並ぶように配置され、現像容器２の底部から上方に延びる隔壁部１５によって水平方向の一方側と他方側とに区画されている。現像スリーブ３は、水平方向において隔壁部１５に対して供給室１１の側に配置され、第１スクリュ１３の上方に位置している。
【００２８】
図２に示すように、隔壁部１５の上部には、水平方向において供給室１１の側（図中右方）へと屈曲成形され、上端部において現像スリーブ３に近接する回収部１５１が設けられている。従って、現像容器２の内部において、現像スリーブ３の表面は回収部１５１によって供給室１１の側の領域と回収室１２の側の領域とに区画されている。また、マグネットロール４は、現像スリーブ３の回転方向において回収部１５１の下流側に配置された吸引極Ｎ１と、回収部１５１の上流側に配置された剥離極Ｎ３とを有している。即ち、マグネットロール４は、吸引極Ｎ１によって供給室１１に収容された現像剤を現像スリーブ３に吸引し、吸引極Ｎ１及び剥離極Ｎ３によって回収部１５１の付近で現像剤を現像スリーブ３から剥離させる磁界を形成している。そして、隔壁部１５は、吸引極Ｎ１及び剥離極Ｎ３の間の無磁力帯において現像スリーブ３から剥落した現像剤を、回収部１５１の上面に受け止めて回収室１２に回収する回収部材として作用する。
【００２９】
なお、画像形成装置１００には、補給スクリュ２５Ｙ，２５Ｍ，２５Ｃ，２５Ｋを備えたトナーホッパが設けられている（図１参照）。これらのトナーホッパは、トナーボトル２４Ｙ〜２４Ｋから排出されたトナーを一時貯蔵し、補給スクリュ２５Ｙ〜２５Ｋを回転させることで現像容器２に適宜補給可能に構成されている。現像容器２には、第２スクリュ１４の搬送方向における回収室１２の最上流部に、トナーホッパからトナーが補給される補給口（不図示）が形成されている。補給口から落下したトナーは、第２スクリュ１４の端部に設けられた補給フィン１４Ｓ（図３参照）によって搬送され、現像容器２の内部に収容された現像剤と合流する。
【００３０】
画像形成装置１００に設けられる制御部は、トナー濃度センサからの検知信号や、パッチ画像の濃度、及びビデオカウント信号等に基づいて、現像容器２へのトナー補給量を制御する。トナー濃度センサとは、例えば透磁率を検知することで現像容器２の内部おけるトナー濃度（Ｔ／Ｄ比：現像剤の総重量に対するトナーの重量比）を測定可能なインダクタンスセンサである。ビデオカウント信号とは、ホスト機器から入力された画像情報を制御部が読込んだ際に、画素（ピクセル）毎の色濃度を積算したもの（画像の色比率）であり、トナー消費量の予測に用いられる。また、制御部は、パッチ濃度センサ２９からの検知信号に基づいて、現像スリーブ３に担持されたトナーの帯電量を推定する。制御部は、これらの入力信号に基づいて、現像容器２の内部における現像剤量、トナー濃度、及びトナーの帯電量等の制御量が所定の適正範囲に収まるようにトナーボトル及びトナーホッパを制御する。
【００３１】
［現像剤の循環搬送］
続いて、現像装置１による感光ドラム１へのトナー供給動作と、現像剤の循環搬送動作とについて、図２及び図３に基づいて説明する。装置本体に設けられる制御部は、ステーションＰＹ〜ＰＫが画像形成（パッチ画像を含む）を開始する場合に、現像モータＭ３の駆動を開始する。すると、第１スクリュ１３及び第２スクリュ１４によって、供給室１１と回収室１２との間で現像剤の循環搬送が開始される（図３参照）。これに並行して、第１スクリュ１３及び第２スクリュ１４によって現像剤が撹拌され、トナーとキャリアとが摩擦帯電によって静電的に結合する。
【００３２】
供給室１１において、現像剤は現像スリーブ３の周囲に現像剤溜りを形成し、マグネットロール４の吸引極Ｎ１が発生する磁界に引寄せられて現像スリーブ３に担持され、現像スリーブ３の回転に伴って移動する。そして、Ｓ極Ｓ１近傍で鎖状の磁気穂を形成した（穂立ちした）状態の現像剤が現像ブレード５からせん断力を受けることで、現像スリーブ３に担持される現像剤量（コート量）が規制される。所定の層厚となった現像剤は、現像容器２の外側の現像領域に到達すると、現像領域に近接して配置された磁極（現像極Ｎ２）の作用によって磁気穂を形成する。そして、現像バイアス電圧と感光ドラムの静電潜像とによって形成されたバイアス電界に従って、トナーがキャリアとの付着力に抗して感光ドラムに転移することで、感光ドラムにトナーが供給される。これにより、感光ドラムの静電潜像がトナー像として現像され、現像工程が達成される。
【００３３】
トナーが消費されたキャリアリッチな状態の現像剤は、現像スリーブ３の回転によって再び現像容器２の内側へと移動し、剥離極Ｎ３の作用によって現像スリーブ３の表面から剥落する。現像スリーブ３から落下した現像剤は、回収部１５１の斜面を滑り落ちて、回収室１２に回収される。なお、現像スリーブ３に担持されることなく、第１スクリュ１３によって供給室１１の下流部まで搬送された現像剤は、第１開口部１６を介して回収室１２へと受け渡される。
【００３４】
回収部１５１及び第１開口部１６を介して回収室１２に戻された現像剤は、第２スクリュ１４によって撹拌されながら搬送され、第２開口部１７を介して再び供給室１１へと送り込まれる。また、トナーホッパから補給されたトナーは、回収室１２の最上流部に設けられた補給口を介して現像容器２に供給され、第２スクリュ１４によって容器内部の現像剤と混和される。従って、供給室１１が現像スリーブ３に現像剤を供給する機能を担う一方で、回収室１２は複数の経路（回収部１５１、第２開口部１７、及び補給口）を介して流入する現像剤を撹拌して供給室１１へと送り込む機能を有している。このような機能分離型の構成により、現像スリーブ３に担持された現像剤が供給室１１に戻される構成に比して、供給室１１における現像剤の均質性を向上させて画像の品位を向上させることができる。
【００３５】
［現像剤の圧縮による劣化］
次に、従来の構成において生じ得る現象について説明する。一般的に、上述した現像装置１と同様の機能分離型の構成において、供給室１１における現像剤量は、第１スクリュ１３の搬送方向において下流へ向かうほど少なくなる。これは、供給室１１において、現像剤の一部が継続的に現像スリーブ３に吸着されながら、第１スクリュ１３によって搬送されるためである。そして、仮に供給室１１の下流部において現像剤面が著しく低くなった場合、吸引極Ｎ１による現像剤の吸引（汲み上げ）が難しくなり、現像スリーブ３のコート量が不足する可能性がある。このため、供給室１１の下流部における現像剤量を確保するために、供給室１１の上流部（第２開口部１７の付近）に十分な量の現像剤を供給可能な構成であることが好ましい。
【００３６】
また、機能分離型の構成において、回収室１２における現像剤量は、第２スクリュ１４の搬送方向において下流へ向かうほど多くなる。これは、第２スクリュ１４によって現像剤が長手方向に搬送される間に、現像スリーブ３から回収部１５１を介して回収された現像剤が順次加わるためである。
【００３７】
このような事情により、機能分離型の構成では、第２開口部１７の付近（回収室１２の下流部及び供給室１１の上流部）における現像剤量が多くなっていた。言い換えると、第２スクリュ１４の搬送方向における第２開口部１７の上流側の端部１７ａの位置を、現像剤の搬送方向が長手方向の一方から他方へと折り返される折返し位置Ｐ１とした場合に、折返し位置Ｐ１の付近で現像剤量が多くなる構成となっていた。
【００３８】
ここで、従来の構成では、第２スクリュ１４の搬送フィン１４２が略全長に亘って、即ち軸方向において第１開口部１６に重なる位置から第２開口部１７に重なる位置に亘る長さで形成されていた。そして、第２スクリュ１４の搬送フィン１４２の面積やピッチ幅は、搬送能力を高めて供給室１１の上流部に十分な量の現像剤を供給し得るように設定されていた。
【００３９】
しかしながら、このような構成では、第２開口部１７の付近において現像剤に過剰な圧力が作用してしまう場合がある。すなわち、現像装置１が稼働している状態で、供給室１１の上流部には多量の現像剤が堆積しており、第２開口部１７を介して供給室１１に流入しようとする現像剤を押し戻す力が生じている。一方、第２スクリュ１４の搬送フィン１４２は、このような力に抗して回収室１２の現像剤を供給室１１へ押し込もうとする。結果として、第２スクリュ１４に押し込まれる力と、供給室１１の側から押し戻される力とによって、第２開口部１７の付近に位置する現像剤が圧縮されて圧力が高まってしまう。特に、搬送フィン１４２と第２開口部１７とが接近する位置である折返し位置Ｐ１で、現像剤の圧力が上昇しやすい構成となっていた。
【００４０】
現像剤に過剰な圧力がかかった場合、樹脂粉体であるトナーの表面に付着させた酸化チタンやシリカ等の微粉末が、樹脂表面から離脱したり樹脂に埋没したりしてしまう。すると、粒子同士の密着を防いで流動性を高める効果（スペーサ効果）が低下し、現像剤の流動性を低下させてしまう。また、キャリア表面の樹脂コートが摩耗することで、トナーを摩擦帯電させる能力が低下して、画像濃度が不安定となる可能性があった。要するに、現像剤が循環搬送される経路に大きな圧力が作用する箇所があることで、現像剤の劣化が進行しやすい構成となっていた。
【００４１】
［第２スクリュの詳細構成］
そこで、本実施形態では、第２スクリュ１４の下流側に、現像剤に作用する圧力を緩和する緩和部１４Ｂを設けている。以下、第２スクリュ１４の詳細な構成について説明する。図３に示すように、第２スクリュ１４は、回収室１２における現像剤の搬送方向（図中下方向）において上流側の搬送部１４Ａと、搬送部１４Ａの下流側に隣接する緩和部１４Ｂとを有している。
【００４２】
搬送部１４Ａは、軸部１４１と搬送フィン１４２とによって構成され、第２スクリュ１４が回転する場合には現像剤を第２開口部１７へ向かって搬送する。緩和部１４Ｂは、軸部１４１と、軸方向における複数の箇所で軸部１４１から径方向外側へ突出する板状の撹拌リブ１４３（凸部）とによって構成されている。緩和部１４Ｂは、少なくとも水平方向から視て折返し位置Ｐ１（第２開口部１７の端部位置）と重なる位置に配置され、折返し位置Ｐ１から搬送部１４Ａの搬送方向の上流へ延びている。また、図３に示す実施例では、緩和部１４Ｂは現像容器２の長手方向の端部まで延びている。従って、緩和部１４Ｂの位置において、現像剤は撹拌リブ１４３によって撹拌されると同時に、搬送部１４Ａから次々に送り込まれる現像剤によって押し流されて第２開口部１７へ向かって搬送される。
【００４３】
この構成によれば、搬送部１４Ａの下流側に緩和部１４Ｂを設けたことで、回収室１２の下流部に位置する現像剤に対して、第２スクリュ１４から軸方向の力が直接的に作用することを防ぐことができる。これにより、第２開口部１７の付近で現像剤に過剰な圧力が作用することを防いで、現像剤の圧縮による劣化を抑制することができる。また、緩和部１４Ｂを撹拌リブ１４３によって構成したことで、搬送部１４Ａによって形成される現像剤の流れを妨げることなく、供給室１１に十分な量の現像剤を供給することができる。
【００４４】
なお、緩和部１４Ｂは、少なくとも水平方向から視て折返し位置Ｐ１と重なる位置に配置されていればよい。これにより、現像剤面が高く、現像剤に作用する圧力のピーク位置となりやすい折返し位置Ｐ１において第２スクリュ１４から現像剤に作用する力を軽減して、現像剤の劣化を効率的に抑制することができる。
【００４５】
緩和部１４Ｂは、現像剤が緩和部１４Ｂをスムーズに通過可能な範囲で、折返し位置Ｐ１よりも上流側へ延設することが好ましい。この場合、第２スクリュ１４を１回転させた場合に、搬送フィン１４２の下流側の表面から引いた法線が描く軌跡が、第２開口部１７よりも上流位置を通過するように、軸方向における緩和部１４Ｂの長さを設定すると好適である。これにより、搬送フィン１４２が現像剤を押圧する力の方向に第２開口部１７が位置する構成が回避される。すなわち、搬送フィン１４２からの押圧力と、供給室１１の現像剤が第２開口部１７の現像剤を押し戻す力とが、同一直線状に並ぶことがないため、現像剤の圧縮をより効果的に緩和することができる。
【００４６】
なお、緩和部１４Ｂを設けない従来構成であっても、搬送フィン１４２の回動軌跡と現像容器２との間の空隙では第２スクリュ１４から現像剤へ作用する力が小さくなっていることから、緩和部１４Ｂは最低でもこの空隙幅よりも大きな長さに設定される。
【００４７】
［変形例１］
本実施形態の変形例について説明する。ただし、以下の変形例１〜４の説明において、上述した第１の実施形態と共通する部材には同符号を付して説明を省略する。図４（ａ）に示す変形例において、第２開口部１７は回収室１２の下流側の端部から離間して配置され、隔壁部１５は第２開口部１７の長手方向外側の端部を形成する端部壁１５２を有している。そして、第２スクリュ１４は、緩和部１４Ｂの下流側に隣接する逆搬送部１４Ｒを有している。
【００４８】
逆搬送部１４Ｒは、搬送部１４Ａ及び緩和部１４Ｂと共通の軸部１４１と、軸部１４１の外周に搬送フィン１４２とは逆の巻き方向で螺旋状に形成された返しフィン１４４とによって構成されている。また、緩和部１４Ｂは、軸方向において搬送部１４Ａ及び逆搬送部１４Ｒの間に配置され、水平方向から視て第２開口部１７と重なる位置、特に折返し位置Ｐ１と重なる位置にある。
【００４９】
この変形例では、回収室１２の最下流部（図中下端部）に到達した現像剤は、返しフィン１４４によって掻き出されて回収室１２の上流側へと逆搬送される。そして、搬送部１４Ａによって図中下方へと搬送される現像剤の流れと、逆搬送部１４Ｒによって図中上方へと搬送される現像剤の流れとが、第２開口部１７の位置でぶつかることにより、回収室１２から供給室１１へと現像剤が送り込まれる。
【００５０】
このような逆搬送部１４Ｒを設ける構成において、搬送部１４Ａと逆搬送部１４Ｒとが軸方向において隣接する場合には、隣接位置の付近で現像剤に過剰な圧力が作用してしまう可能性がある。一方、この変形例では搬送部１４Ａと逆搬送部１４Ｒとの間に緩和部１４Ｂが配置され、緩和部１４Ｂの位置で現像剤の流れが合流する構成となっている。このため、本変形例によれば、逆搬送部１４Ｒを設ける構成において、現像剤の流れが合流することによる圧力の上昇を緩和して、現像剤の圧縮による劣化を抑制することができる。
【００５１】
［変形例２］
本実施形態の他の変形例においては、図４（ｂ）に示すように、緩和部として第２スクリュ１４のフィンを切欠くことで形成された切欠き部１４Ｃが設けられている。すなわち、第２スクリュ１４は、搬送フィン１４２を有する搬送部１４Ａと、返しフィン１４４を有する逆搬送部１４Ｒと、フィンが切欠かれて軸部１４１のみによって構成された切欠き部１４Ｃとを有する。切欠き部１４Ｃは軸方向において搬送部１４Ａ及び逆搬送部１４Ｒの間に配置され、水平方向から視て第２開口部１７（特に折返し位置Ｐ１）と重なる位置にある。
【００５２】
この構成によれば、上述した第１の実施形態と同様に、切欠き部１４Ｃによって現像剤に作用する圧力を軽減して、現像剤の圧縮による劣化を抑制する効果を得ることができる。また、緩和部を軸部のみによって構成したことで、現像剤の劣化を抑制可能な現像装置を簡易な構成で提供することができる。
【００５３】
［変形例３］
本実施形態のさらに他の変形例においては、図４（ｃ）に示すように、緩和部として搬送フィン１４２よりも小径のフィンを備えた小径部１４Ｄが設けられている。小径部１４Ｄは、搬送部１４Ａ及び逆搬送部１４Ｒと共通の軸部１４１と、軸部１４１の外周に搬送フィン１４２と同じ巻き方向で螺旋状に形成され、搬送フィン１４２よりも外径が小さい小径フィン１４５とによって構成される。小径部１４Ｄは軸方向において搬送部１４Ａ及び逆搬送部１４Ｒの間に配置され、水平方向から視て第２開口部１７と重なる位置にある。この変形例においても、上述した第１の実施形態と同様に、小径部１４Ｄによって現像剤に作用する圧力を軽減して、現像剤の圧縮による劣化を抑制する効果を得ることができる。
【００５４】
［変形例４］
本実施形態のさらに他の変形例においては、図４（ｄ）に示すように、緩和部として搬送フィン１４２よりも小径のフィンを備えた小径部１４Ｅが設けられている。小径部１４Ｅは、搬送部１４Ａ及び逆搬送部１４Ｒと共通の軸部１４１と、搬送フィン１４２よりも外径が小さい小径フィン１４６とによって構成される。ただし、上述した変形例３の小径部１４Ｄとは異なり、この小径部１４Ｅの小径フィン１４６は搬送フィン１４２とは逆の巻き方向で形成されている。小径部１４Ｅは軸方向において搬送部１４Ａ及び逆搬送部１４Ｒの間に配置され、水平方向から視て第２開口部１７と重なる位置にある。この変形例においても、上述した第１の実施形態と同様に、小径部１４Ｅによって現像剤に作用する圧力を軽減して、現像剤の圧縮による劣化を抑制する効果を得ることができる。
【００５５】
また、上述した変形例３と比較した場合、小径フィン１４６の巻き方向が搬送フィン１４２とは逆方向に形成されているため、搬送フィン１４２によって形成された現像剤の流れを減速する効果が大きい。このため、小径フィン１４５，１５６の外径及びピッチ幅等が等しい場合、本変形例は変形例３に比して第２開口部１７の付近における現像剤の圧力上昇を大きく緩和することができる。
【００５６】
［他の実施形態］
なお、上述した第１の実施形態及びその変形例において、緩和部（１４Ａ〜１４Ｅ）の構成は上述したものに限らない。例えば、軸部１４１から径方向外側へ向けて突設され、搬送フィン１４２とは非連続的に形成された凸部（例えば、棒状の突起部）を有する緩和部を設けてもよい。また、小径のフィンに代えて、搬送フィン１４２よりもピッチ幅を小さくしたものや、ピッチ幅を極端に大きくして搬送能力を低下させたフィンを設けてもよい。要するに、スクリュを含む搬送部材である第２搬送部材に、現像剤を第２開口部１７へ向けて搬送する搬送部と、搬送部よりも搬送能力が小さい緩和部とを設け、少なくとも折返し位置Ｐ１に重なるように緩和部を配置する構成であればよい。
【００５７】
また、本実施形態は供給室１１と回収室１２とが水平方向に並んで配置される現像装置に適用したが、供給室と回収室とが上下方向に並んで配置される現像装置に適用しても構わない。この場合、一般的に回収室は供給室の下方に配置されるため、回収室の下流部において現像剤を供給室へと汲み上げる必要がある。このため、現像剤の圧力によって汲み上げを行う場合には、汲み上げを実行可能な圧力の最低値以上の範囲で現像剤にかかる圧力を緩和するように緩和部を構成すると好ましい。
【００５８】
＜第２の実施形態＞
次に、第２の実施形態に係る現像装置１Ａについて説明する。ただし、この現像装置１Ａは、第１の実施形態と同様に構成された画像形成装置１００の各ステーションＰＹ〜ＰＫの現像装置１Ｙ〜１Ｋとして用いられて好適である。以下、第１の実施形態に係る現像装置１と構成が異なる部分に注目して説明し、第１の実施形態と共通する部材には同符号を付して説明を省略する。
【００５９】
図５に示すように、本実施形態に係る現像装置１Ａにおいて、現像容器２の内部には、互いに軸方向を平行に配置された現像スリーブ３、マグネットロール４、第１スクリュ１３、及び第２スクリュ１４が配置されている。ただし、第１の実施形態とは異なり、現像容器２の回収室１２Ａの底部１２ｆは、供給室１１Ａの底部１１ｆよりも上方に配置されている。そして、第２スクリュ１４は、水平方向から視て第１スクリュ１３と部分的に重なる範囲で、第１スクリュ１３よりも上方に配置されている。また、第２スクリュ１４は、第１の実施形態と同様に、現像剤を搬送する搬送部１４Ａと、搬送部１４Ａの下流かつ折返し位置Ｐ１と重なる位置に配置され、搬送部１４Ａよりも搬送能力が低い緩和部１４Ｂとを有している（図３参照）。
【００６０】
このように構成された現像装置１Ａにおいて、現像モータＭ３が現像スリーブ３、第１スクリュ１３及び第２スクリュ１４を駆動すると、現像容器２の内部で現像剤が循環搬送される。このとき、回収室１２Ａの底部１２ｆが供給室１１Ａの底部１１ｆよりも上方に配置されているため、第１開口部１６では供給室１１Ａから回収室１２Ａへの現像剤の受け渡しが重力によって制限される。このため、第１の実施形態のように供給室と回収室とが略水平に配置される構成に比して、供給室１１Ａの下流部に滞留する現像剤量を増加させて、供給室１１Ａの下流部における現像スリーブ３のコート量の低下を抑制することができる。
【００６１】
ところで、このように回収室１２Ａの底部１２ｆが供給室１１Ａの底部１１ｆよりも上方に配置される構成では、供給室１１Ａの上流部において現像剤に作用する圧力が大きくなりがちであった。すなわち、第１の実施形態と同様に、第２開口部１７の現像剤には、第２スクリュ１４によって押し込まれる力と供給室１１Ａの現像剤から押し戻される力とに加えて、回収室１２Ａの現像剤にかかる重力が作用していた。これにより、供給室１１Ａの上流部において、現像剤に過剰な圧力が作用しやすい構成となっていた。
【００６２】
一方、本実施形態では、回収室１２Ａの底部１２ｆが供給室１１Ａの底部１１ｆよりも上方に配置される構成において、第２スクリュ１４に緩和部１４Ｂを設けている。このため、現像スリーブ３のコート量を均一化可能な構成において、現像剤の圧縮による劣化を抑制することができる。
【００６３】
＜第３の実施形態＞
次に、第３の実施形態に係る現像装置１Ｂについて説明する。ただし、この現像装置１Ｂは、第１の実施形態と同様に構成された画像形成装置１００の各ステーションＰＹ〜ＰＫの現像装置として用いられて好適である。以下、第１の実施形態に係る現像装置１と構成が異なる部分に注目して説明し、第１の実施形態と共通する部材には同符号を付して説明を省略する。
【００６４】
図６に示すように、供給室１１Ｂと回収室１２Ｂとを隔てる隔壁部には、長手方向の両側に第１開口部１６及び第２開口部１７が形成されている。ただし、図６は、現像装置１Ｂを水平方向から視た図であり、図中奥側に現像スリーブ３が配置される位置関係となっている。また、隔壁部の図示を省略し、第１開口部１６及び第２開口部１７はそれらの位置のみを示している。供給室１１Ｂから回収室１２Ｂへの現像剤の受け渡しが行われる第１開口部１６の付近（Ａ１−Ａ１線の位置）では、図５に示す断面と同様に、回収室１２Ｂの底部１２ｆが供給室１１Ｂの底部１１ｆよりも上方に配置されている。一方、回収室１２Ｂから供給室１１Ｂへの現像剤の受け渡しが行われる第２開口部１７の付近（Ａ２−Ａ２線の位置）では、図２に示す断面と同様に、回収室１２Ｂ及び供給室１１Ｂの底部１１ｆ，１２ｆが略水平に配置されている。従って、本実施形態における回収室１２Ｂの底部１２ｆは、長手方向において第１開口部１６の側から第２開口部１７の側へ向かって重力方向に傾斜して形成されている。
【００６５】
供給室１１Ｂには、軸中心を現像スリーブ３と略平行に配置されたスクリュ３３が配置され、現像剤を長手方向の一方（図中左方）へと搬送する。その一方で、回収室１２Ｂに配置される撹拌部材３４は、円柱状の軸部３４１と、軸部３４１から径方向外側に突出する複数の撹拌リブ３４３とを有する撹拌部３４Ａを備え、回収室１２Ｂの底部１２ｆに沿って傾斜して配置されている。図６に示す実施例では、撹拌部３４Ａは、軸方向において第１開口部１６の位置から第２開口部１７の位置に亘って、撹拌部材３４の略全長をカバーしている。従って、撹拌部材３４は、回収室１２Ｂの現像剤を撹拌することで、重力を用いて現像剤を長手方向の他方（図中右方）へ搬送し得るように構成されている。なお、この実施例では、撹拌部３４Ａの上流側に、トナーホッパから補給されたトナーを搬送する補給フィン３４Ｓが設けられている。
【００６６】
本実施形態において、撹拌部材３４の撹拌部３４Ａは現像剤に軸方向の力を直接的に作用させることなく、重力を用いて現像剤を搬送する。従って、上述した第１の実施形態と同様に、撹拌部３４Ａによって現像剤にかかる圧力を緩和して、現像剤の圧縮による劣化を抑制することができる。
【００６７】
なお、上述した実施例では、撹拌部３４Ａが軸方向の略全長をカバーする構成となっているが、上流側（第１開口部１６の側）を搬送フィンを備えた搬送部とし、下流側を撹拌部としてもよい。この場合、撹拌部が、少なくとも軸方向において折返し位置Ｐ１と重なるように配置されていればよい。また、撹拌部に設けられる凸部の形状は、板状（リブ材）に限らず、棒状等の他の形状であってもよい。
【００６８】
また、回収室１２Ｂが搬送方向下流側へ向かって重力方向に傾斜した構成であれば、現像スリーブ３やスクリュ３３、及び供給室１１Ｂが水平方向に延びる構成に限らず、これらのうちの少なくとも１つが水平面に対して傾斜して配置されるものであってもよい。この場合、例えば感光ドラムに代えてベルト状の感光体を用いることで、ステーションＰＹ〜ＰＫのその他の要素の配置を変えることなく現像装置を配置することが可能となる。
【符号の説明】
【００６９】
１，１Ａ，１Ｂ…現像装置／２…現像容器／３…現像剤担持体（現像スリーブ）／１１，１１Ａ，１１Ｂ…第１室（供給室）／１２，１２Ａ，１２Ｂ…第２室（回収室）／１３…第１搬送部材（第１スクリュ）／１４…第２搬送部材（第２スクリュ）／１４Ａ…搬送部／１４Ｂ，１４Ｃ，１４Ｄ，１４Ｅ…緩和部（切欠き部、小径部）／１４１…軸部／１４２…搬送フィン／１４３…凸部（撹拌リブ）／１４４…返しフィン／１４５，１４６…小径フィン／１５…隔壁部／１６…第１開口部／１７…第２開口部、受渡し部／３３…搬送部材（スクリュ）／３４…撹拌部材／３４Ａ…撹拌部
【図１】
2017097082.tif 000003
【図２】
2017097082.tif 000004
【図３】
2017097082.tif 000005
【図４】
2017097082.tif 000006
【図５】
2017097082.tif 000007
【図６】
2017097082.tif 000008